Podtech/llm-jp-corpus-v4-ja_patent huggingface dataset:
(57)【要約】【課題】本発明は男性がズボン（Ａ）をずらすことなく、ファスナーなどの前開き（１）を開き便座に着座して小便をするときに、前開き（１）の下端（１１）が陰部付け根を圧迫するのを抑制し、快適に小便ができるズボンを提供することにある。【課題を解決するための手段】［０００６］本発明は、ズボン（Ａ）の前開き（１）の下端（１１）を股下点（２）まで深くしたことにより、このことにより陰部を前開き（１）から出して便座に着座したときに陰部の付け根が前開き（１）の下端（１１）によって押し上げられて圧迫されるのを抑制し、快適に小便ができるのである。【選択図】図５
2019119974.tif 000002
【特許請求の範囲】
【請求項１】
男性がズボン（Ａ）をはいたまま前開き（１）を開き洋風便器の便座に着座して小便をすることのできるようにしたズボンにおいて、前記前開き（１）の下端（１１）を股下点（２）近傍まで深くしたことを特徴とするズボン。
【発明の詳細な説明】
【技術分野】
【０００１】  本発明は、ズボンをはきながら前開き（陰部を取出すところ）を開き洋風便器の便座に着座して、小便を容易にできるようにしたズボンに関する。このズボンの範疇の中には半ズボン、パンツ、タイツと称されるものなど、下半身に着用する衣類で、股や足に沿って二股に分かれているものをさす。
【技術背景】
【０００２】  従来の男性が洋風便器の便座に座って小便をするときには図１に示すようにズボンをずらせて便器の奥側に背を向けて便座に着座して小便をたしていた。
【０００３】  本発明者は特願２０１７−１６９８４８で男性が小便をするときに、ズボンをずらすことなくファスナーなどの前開きを開き陰部を出し、図２に示すように便器の奥側に向いて着座できる便座を発明した。
【０００４】  前記発明により男性がズボンをずらさず前開きを開くだけで衛生的にかつ容易に着座して小便ができるようになったが、従来のズボン（Ａ）は図３に示すようにファスナーなどの前開き（１）深さが浅く（股下の付け根よりかなり高い位置に前開き（１）の下端（１１）がある）、このため着座して小便をするときに前開き（１）から出した陰部の付け根を前記前開き（１）の下端（１１）が圧迫して小便がしにくいという問題があった。
【発明の概要】
【発明が解決しようとする課題】
【０００５】  本発明は図２のように男性がズボン（Ａ）のファスナーなどの前開き（１）から陰部を出して、洋風便器の便座に着座して小便をするとき、ズボン（Ａ）の前開き（１）の下端（１１）が陰部付け根を押し上げ、圧迫するのを抑制し、快適に小便ができるズボンを提供する点にある。
【課題を解決するための手段】
【０００６】  本発明のズボン（Ａ）は、図５に示すようにズボン（Ａ）の前開き（１）の下端（１１）を股下最下端部（左右の脚部の接合線の最下端点で通常の縫い方では縫い目がクロス状になっている点、以下股下点という）（２）近傍まで深くしたのである。
【発明の効果】
【０００７】  本発明のズボンはズボン（Ａ）の前開き（１）の下端（１１）を股下点（２）近傍まで深くしたから、前開き（１）を開けて陰部を出し便座に着座して小便をするときに、前開き（１）の下端（１１）が股下点（２）よりわずかしか上がってないので、陰部の付け根が前開き（１）の下端（１１）によって圧迫されるのを抑制、または皆無とすることができ、快適に小便ができるのである。
【図面の簡単な説明】
【０００８】
【図１】  従来の洋風便器着座小便スタイル図
【図２】  本発明者の洋風便器着座小便スタイル図
【図３】  従来のズボン正面図
【図４】  本発明の実施形態のズボン（下着タイツ）正面図
【図５】  本発明の別の実施形態のズボンの正面図
【発明を実施するための形態】
【０００９】  以下、本発明の実施の形態を図４、図５に基づいて説明する。
【００１０】  第５図において（Ａ）は本実施例のズボンで、２本の足をそれぞれ入れる脚部（３）（４）とファスナーの前開き（以下ファスナーという）（１）をもつ股上部（５）からなっている。
【００１１】  前記ファスナー（１）の上端（１２）はウエスト部（６）近くにあり、下端は股下点（２）より１ｃｍほど手前のところに位置している。「１ｃｍ」は縫い代を考慮したものである。
【発明の効果】
【００１２】  以下、本発明の実施例の効果を図５で説明する。男性が洋風便器の便座にズボン（Ａ）をずらさずにファスナー（１）を下端（１１）まで開けて着座する。
【００１３】  この時、ファスナー（１）の下端（１１）は股下点（２）近くにあり、股下点（２）とほとんど同じ高さにあるので、陰部をファスナー（１）から取り出し着座した時にファスナー（１）の下端（１１）が陰部付け根をほとんど押し上げることがなく、陰部付け根を圧迫するのを抑制しまたは皆無とすることができるのである。
【００１４】  図４は本発明の別の実施形態で下着タイツ（Ａ）の前開き（１）は、股上部（５）の陰部を出す前面部分の生地を、左側生地（下側）（１１ａ）と右側生地（上側）（１１ｂ）とを左右から重ね合わすようにしており、上端（１２）はウエスト部（６）に達し、下端（１１ａ、１１ｂ）は股下点（２）近傍に位置するようにしている。
【００１５】  前開き（１）下部の左右の生地（１１ａ，１１ｂ）の重ね代はタイツの左右の芯を中心に、体を動かしたときに陰部が露出しない程度に最小とし、左側生地（１ａ）の下端（１１ａ）は中心線近くに、また右側生地（１ｂ）の下端（１１ｂ）は中心線より左でかつ前記下端（１１ａ）より左としている。
【００１６】  かくして、小便時に陰部を前開き（１）から取出して便座に着座したときに、前開き（１）の下端（１１ａ，１１ｂ）が股下点（２）と高さが同じなので、前記下端（１１ａ，１１ｂ）によって陰部付け根を圧迫するのを抑制できるのである。
【符号の説明】
【００１７】（Ａ）    ズボン
（１）    前開き（ファスナー）
（２）    股下点
（３）    左脚部
（４）    右脚部
（５）    股上部
（１１）  前開きの下端
【図１】
2019119974.tif 000003
【図２】
2019119974.tif 000004
【図３】
2019119974.tif 000005
【図４】
2019119974.tif 000006
【図５】
2019119974.tif 000007
(57)【要約】      （修正有）【課題】従来の３つ撚りクロスロープの製綱工程と機戒種類を減らす三つ撚りクロス繊維ロープのストランの提供。【解決手段】ストランロープ１の芯３とその外表面２とを右撚り左撚りに相対撚り構成のストランロープ１。更には、４本合体ロープの４本ストランを合体し、結束破止めを設け、ストランロープ１の分径は適時適材に変更し、ストランロープ１の本数を加減して結束破止めを適間隔に設けた合体ロープの構成。更には、バンド形に縦にストランロープ（細形）１を並べたストランロープ（細形）１をミシン糸で結束破止め、または天竺織りで織り横糸を通して結束破止めとするバンドの構成。【選択図】図１
2019119975.tif 000002
【特許請求の範囲】
【請求項１】
［図１］に示すストランロープ１  の  芯３  とその外表面２とを右撚り左撚りに相対撚り構成のストランロープ１。
【請求項２】
［図２］に示す４本合体ロープ４の合体４本ストランを合体  結束破止め５を設けてのストランロープ１の分径は適時適材に変更してストランロープ１の本数を加減して結束破止め５を適間隔に設けての合体ロープ４の構成。
【請求項３】
［図３］に示す  バンド形に縦にストランロープ（細形）１をバンド形に並べたストランロープ（細形）１をミシン糸７で結束破止め、または天竺織りで織り横糸８を通して結束破止めとするバンドの構成。
【発明の詳細な説明】
【技術分野】
【０００１】三つ撚り  クロス  繊維ロープのストランに関する。
【背景技術】
【０００２】従来の繊維３つ撚り、クロスロープは右撚り左撚りのヤーン、さらに複合ヤーンと多種多工程に多種機械で製綱に、３つ撚りクロスロープのストランの改良に関する。
【発明の概要】
【発明が解決しようとする課題】
【０００４】本案は従来の３つ撚りロープ、クロスロープの多工程は繊維糸を適数量にして右に左に撚り掛けたヤーンを適数量を撚り掛けして複合ヤーンを、その複合ヤーン適数本でストランに製撚し、そのストラン、３本を三つ撚りロープ、クロスロープに製綱と、多種工程と多種類の機戒を減らす省略目的である。、
【課題を解決するための手段】
【０００５】［図１］のストランロープ（Ｉ）の断面、ヤーン又は原糸の集束の、芯（３）を左撚りにその外表面の小ヤーン又は原糸集束の、表面（２）を右撚りに製撚して、そのストランロープ（１）の撚りバランス安定目的に樹脂、付着、乾燥したストランロープ（１）      ［図２］に示す  ストランロープ（１）、４本合体を結束破止め（５）で結束，四本のストランロープ（１）は太いも、細いも、製撚出来、合体ロープの、ストランロープ（１）の合体本数は適時適材に構成を変える、結束破止め（５）の素材は  金属、アルミニューム、ナイロン、エステルとする、  結束破止め（５）を適間隔に設けて成る合体ロープ（４）      ［図３］に示すストランロープ細形をバンド形に並べて、その結束をミシン荒縫い  ミシン糸（７）で結束、破止めして、また  昔からの  天竺織りで結束、破止め横糸（８）で示すストランロープ（１）使用のバンド構成。
【発明の効果】
【０００６】本案は製綱工程と機戒種類を減らして、従来の３つ撚りロープ、クロスロープに比べ１ｍの重量も軽く、引っ張り強力は強化、漁業、養殖分野に陸上運輸、土木工事、建設用、荷上げ網、歩道区切り用に、物品固定  落下被害防止用、尚［図２］の多ストラン合体ロープ、［図３、］のバンド形の考案による効果大です。
【図面の簡単な説明】
【０００７】
【図１】ストランロープの断面、斜視図
【図２】４本合体ロープの断面  斜視図  （多ストラン合体ロープ）
【図３】縦て並びバンド形断面  斜視図
【発明を実施するための形態】
【０００８】本案は上記の説明の如く、従来の３つ撚り（３本ストラン撚り）ロープ  クロスロープの製綱の多工程と多種機械を省略して  軽いロープで破断力，強化ロープの生産効率と利便性の向上を得る。
【符号の説明】
【０００９】（Ｉ）ストランロープ  （２）ストランロープの外表面      （３）ストランロープの芯（４）四本合体ロープ  （５）結束破止め      （６）バンド形        （７）ミシン糸（８）織り横糸
【図１】
2019119975.tif 000003
【図２】
2019119975.tif 000004
【図３】
2019119975.tif 000005
(57)【要約】【課題】  グラスウールやセルロースファイバー、ロックウールなどの断熱材は、充填時から次第に湿気を吸い込んで沈む込み断熱性能の劣化を起こす場合があった。  また、空気などの気体を対流させない寸法で多層することで断熱効能を得られる公知の技術では、大量生産で供給するに至っていない。【解決手段】  紙を多層にして静止空気層を構築した断熱層にアルミ箔を挿入する事で放射熱伝達も抑えて断熱性能を飛躍的に向上させる手段を用いた。【選択図】図１
2019119190.tif 000002
【特許請求の範囲】
紙▲１▼を一定間隔に配した多層構造にして、その多層の一部をアルミ箔▲２▼にした事を特徴とした紙▲１▼とアルミ箔▲２▼を用いた多層断熱方法である。
【発明の詳細な説明】
【技術分野】
【０００１】  本発明は紙とアルミ箔を、一定間隔に開けた構成で多層にした断熱方法に関する技術分野である。
【背景技術】
【０００２】  一般的に断熱材は、グラスウール、ロックウール、セルロースファイバーなど、乾燥した空気を静止させることで成り立つ断熱材が頻繁に用いられる。【０００３】  一方、空気などの気体を対流させない寸法で多層化することで断熱効能を得られるのは、特許文献１、２、３、４などで公知の事実であるが、大量生産で供給するに至っていない。
【先行技術文献】
【特許文献】
【０００４】
【特許文献１】特開２００２−２４１１４８
【０００５】
【特許文献２】特開２００２−２３５３８８
【０００６】
【特許文献３】特開２００２−１６０９４７
【０００７】
【特許文献４】特開２００２−２３５３８５
【発明の概要】
【発明が解決しようとする課題】
【０００８】  上記のグラスウール、ロックウール、セルロースファイバーなどの断熱材は、いずれも化学有機材料であり、製造や廃棄などのライフサイクルを通して大きな環境負荷を排出しており、尚且つ湿気を含むと垂れ下がる事象で経年劣化を起こす課題がある。【０００９】  上記の通り、静止空気層を多層にする断熱方法は既に公知の事実であるが、断熱性能に限界があり、アルミ箔との併用で構成する事で飛躍的に断熱力を向上させる事ができる。
【課題を解決するための手段】
【００１０】  本発明は、木材や樹脂等の熱を伝え難い素材でスペーサー枠をつくり、そのスペーサー枠に紙やアルミ箔を張って多層構造とする断熱方法を提案するものである。
【発明の効果】
【００１１】  本発明は、以上の形状とメカニズムとなっており、木材や樹脂等の熱を伝え難い素材のスペーサー枠と紙、そしてリサイクル可能なアルミ箔を用いるもので、グラスウールやロックウール、セルロースファイバー等の断熱材と比較して環境負荷が極めて小さい効果がある。【００１２】  多層壁内部に静止空気をとどめることによって断熱を図ろうとする方法は公知の事実であるが、本発明は、多層を構成する一部を紙からアルミ箔に置き換えることにより、断熱効果を更に高める事を為したものである。図８は、内外温度差を４０度とした場合の、一般的なグラスウール断熱材（２００ｍｍ）と、本発明（代表図の構成）及び多層材を全て紙及び全てアルミにした試験体を比較した結果である。なお、全て紙及び全てアルミにした試験体の測定値はほぼ差異がないことから、同一データとして扱っている。試験ボックス側面に同じ大きさのグラスウール断熱材と本発明試験体、多層材を全て紙及び全てアルミにした試験体を設置し、試験ボックス内を加温した後、一定温度に保った時の、グラスウール断熱材と本発明試験体及び多層材を全て紙及び全てアルミにした試験体、其々の表面温度を計測したもので、グラスウール断熱材（Ｕ値０．０１９Ｗ／ｍ２Ｋ）の表面温度が約１９度、多層材を全て紙及び全てアルミにした試験体の表面温度が約２１度、本発明試験体の表面温度約１８度と、本発明試験体の方が表面温度が低く熱が逃げていない、すなわち断熱性能が高い事が確認できる。【００１３】  アルミ箔は放射率の値が小さいため、放射熱伝達を極めて低いレベルに抑えることが可能である。このような性質を有するアルミ箔を伝導による熱ロスが発生しないような構成で多層壁内部に挿入することにより、静止空気による対流熱伝達の抑制と相まって断熱効果が飛躍的に向上する。【００１４】  本発明は、木材や樹脂等の熱を伝え難い素材のスペーサー枠と紙、そしてリサイクル可能なアルミ箔で構成しているため、極めて軽量で尚且つ安価で供給できる。【００１５】  本発明は、壁面だけでなく、床面や天井面、屋根面にも同等な効力を発揮する。【００１６】  本発明は、構造用合板等との組み合わせ等で、耐力壁の断熱素材としても活用できる効果がある。
【図面の簡単な説明】
【００１７】
【図１】本発明の請求項の平面断面図
【図２】本発明の実施例１の平面断面図
【図３】本発明の実施例２の平面断面図
【図４】本発明の実施例３の平面断面図
【図５】本発明の実施例４の平面断面図
【図６】本発明の実施例５の平面断面図
【図７】本発明の実施例６の平面断面図
【発明を実施するための形態】
以下、本発明の実施の形態を図１に基づいて説明する。
紙▲１▼を一定間隔に配した多層構造において、その多層の一部にアルミ箔▲２▼を用いて多層構造を形成する。
【実施例１】
【００１８】  外側と内側と真ん中を紙▲１▼で構成し、それ以外にアルミ箔▲２▼を用いた本発明の実施例。
【実施例２】
【００１９】  外側と内側を紙▲１▼で構成し、残りの全てをアルミ箔▲２▼にした本発明の実施例。
【実施例３】
【００２０】  外側の構造用合板▲４▼に紙▲１▼とアルミ箔▲２▼を密着させ、それ以外の内側を紙▲１▼で多層にした本発明の実施例。
【実施例４】
【００２１】  外側と内側を構造用合板▲４▼で囲った本発明の実施例。
【実施例５】
【００２２】  樹脂断熱ボードや樹脂現場発泡吹き付け▲５▼で付加断熱構造にした本発明の実施例。
【実施例６】
【００２３】  当該多層断熱層を横方向、縦方向の交互に取り付け施工して内断熱や外断熱、内外併用断熱として活用した本発明の実施例。
【符号の説明】
【００２４】▲１▼紙
▲２▼アルミ箔
▲３▼スペーサー枠
▲４▼構造用合板
▲５▼樹脂断熱ボードや樹脂現場発泡吹き付け
▲６▼内装材
【図１】
2019119190.tif 000003
【図２】
2019119190.tif 000004
【図３】
2019119190.tif 000005
【図４】
2019119190.tif 000006
【図５】
2019119190.tif 000007
【図６】
2019119190.tif 000008
【図７】
2019119190.tif 000009
【図８】
2019119190.tif 000010
【手続補正書】
【提出日】平成30年3月20日(2018.3.20)
【手続補正１】
【補正対象書類名】明細書
【補正対象項目名】００１７
【補正方法】変更
【補正の内容】
【００１７】
【図１】本発明の請求項の平面断面図
【図２】本発明の実施例１の平面断面図
【図３】本発明の実施例２の平面断面図
【図４】本発明の実施例３の平面断面図
【図５】本発明の実施例４の平面断面図
【図６】本発明の実施例５の平面断面図
【図７】本発明の実施例６の平面断面図
【図８】一般的なグラスウール断熱材と、本発明（代表図の構成）及び多層材を全て紙及び全てアルミにした試験体の温度比較結果
(57)【要約】【課題】  細胞のストレスの存在を確からしく評価するためには、正常では検出されることがない物質を感知することである。この状況を異常アミノ酸配列として検出する方法を提供する。【解決手段】  正常細胞ではＤＮＡライゲースＩＶの活性部位のアミノ酸配列は出現しない。よってこれをストレスマーカーとして２種のポリクローナル抗体を作製する。これらを反応させの免疫複合体を合成し検知する。【特許請求の範囲】
【請求項１】
ストレスを受けた細胞内で形成された正常細胞では存在しえないアミノ酸配列（Ｌｙｓ  Ａｒｇ  Ｔｙｒ  Ａｌａ  Ｇｌｙ  Ｌｅｕ  Ａｒｇ  ならびに  Ｌｙｓ  Ａｒｇ  Ｔｙｒ  Ａｌａ  Ｇｌｙ  Ｇｌｕ  Ａｒｇ）を認識する磁性体結合ポリクローナル抗体と発色物質結合ポリクローナル抗体および該アミノ酸配列による免疫複合体を合成すること。
【請求項２】
請求項１の手順  ５ｍｌ程度の検体液にまず磁性体結合抗体を入れ約１５分程度インキュベートした後に試験管の外部から磁石を当てる。そのままの状態で上澄みだけを棄て残った上澄み液と磁性体結合抗体を外部の磁石を遠ざけて懸濁し、次に発色物質結合抗体を添加し１０分インキュベートし洗浄用生食を１ｍｌ程度入れ懸濁洗浄した後に再び外部磁石を使って磁性体結合抗体を磁力で固定化し洗浄液を棄てる。最後に試験管内に発色がみられるかどうかを確認すること。
【請求項３】
請求項１で検査する対象は研究用の細胞株の培養液及びライセートまたは患者から採取した血漿、血清、尿、唾液、胃液、糞便液や組織片、体毛、表皮のライセート液である。
【請求項４】
請求項１で検査する対象は細胞ストレスマーカーであり、発癌に関わるもの、関わらないもの両方を含む
【請求項５】
検出目的のアミノ酸配列はＬｙｓ  Ａｒｇ  Ｔｙｒ  Ａｌａ  Ｇｌｙ  Ｌｅｕ  Ａｒｇ  ならびに  Ｌｙｓ  Ａｒｇ  Ｔｙｒ  Ａｌａ  Ｇｌｙ  Ｇｌｕ  Ａｒｇである
【発明の詳細な説明】
【技術分野】
【０００１】種々のストレスは細胞の核の内外に働くが、細胞核外に働いたストレス刺激下で生成された蛋白質中に正常では観られないアミノ酸配列が発生することが知られている。これら異常蛋白のなかでゲノムＤＮＡ異常を起こしうるアミノ酸配列を検査する。
【背景技術】
【０００２】細胞に働くストレスの中で直接核内のＤＮＡに作用して遺伝子異常を起こし、癌や遺伝子異常を伴う疾患については以前より調べられてきた。しかし、核外の異常が先行して起こりその結果ゲノムＤＮＡ異常を起こす場合については調べられていない。
【発明の概要】
【課題】
【０００３】細胞質内へのストレスによって引き起こされるアミノ酸配列異常のうちゲノムＤＮＡに変異を加える可能性があり正常細胞では検出されない配列を検出する
【解決手段】
【０００４】細胞質内のストレスのみでは遺伝子を組み換える酵素活性を持ち核移行能も併せ持つ異常アミノ酸配列を偶発的に起こすことは確率的に起こりえないと言える。しかし、ストレス細胞ではすでにカスパーゼ誘導性ＤＮＡ切断酵素（ＣＡＤ）が働いており、ゲノムＤＮＡ切断がある程度存在し、さらにはストレスによりゲノム修復酵素も機能低下している。
このような状態でもともと存在する核内タンパクのアミノ基側の一部がＤＮＡ（ライゲース）結合活性を持った場合、充分ゲノム遺伝子異常を高い確率で起こしうる。本法は減数分裂している細胞で観られるが、他の正常細胞では検出されないＤＮＡ結合酵素の活性部位の一部のアミノ酸配列を持つ異常蛋白を試料中から磁性体結合ポリクローナルで集め、発色物質結合ポリクローナル抗体で検出する方法を提供する。
【発明の効果】
【０００５】従来、細胞のゲノムＤＮＡ異常は核内ＤＮＡが紫外線、放射線、核酸障害物質、ウイルスなどによって直接障害を受けるメカニズムのみが調べられて、異常のＤＮＡを検出していた。最近の生化学では細胞ストレスによって細胞質内で異常アミノ酸配列が蛋白質のアミノ基側に起こることが知られている。任意の蛋白質であっても正常では存在しえないアミノ酸配列が出現すれば、細胞のストレスを証明できる。検出する異常アミノ酸配列としてＤＮＡライゲースの活性部位を用いれば、細胞ストレスだけでなく将来的にＤＮＡ異常を起こす候補を観察することになる。
【発明を実施するための形態】
【０００６】正常細胞では検出されない異常アミノ酸配列（１）としてＤＮＡライゲースＩＶの活性部位の配列、Ｌｙｓ  Ａｒｇ  Ｔｙｒ  Ａｌａ  Ｇｌｙ  Ｌｅｕ  Ａｒｇ  もしくは  Ｌｙｓ  Ａｒｇ  Ｔｙｒ  Ａｌａ  Ｇｌｙ  Ｇｌｕ  Ａｒｇ  を認識するポリクローナル抗体で磁性体結合のもの（２）と発色物質結合のもの（３）の２種。
５ｍｌ程度の検体液もしくは検体の懸濁液を透明の試験管にいれ、それに（１）を添加し１０分から１５分インキュベートした後に試験管の外部から磁石を用いて磁性体抗体を試験管内に磁力で凝集固定化したうえで上澄み液を廃棄する。
外部の磁石を外し試験管内に残った液を軽く撹拌した後（２）を添加し１０分間インキュベートする。
１ｍｌ程度の洗浄用生食を入れた後に再び外部から磁石で磁性抗体を凝集させて上澄みを棄て試験管内に残った発色抗体の発色を確認する。
【符号の説明】
【０００７】  １  異常アミノ酸配列はＬｙｓ  Ａｒｇ  Ｔｙｒ  Ａｌａ  Ｇｌｙ  Ｌｅｕ  Ａｒｇ  もしくは  Ｌｙｓ  Ａｒｇ  Ｔｙｒ  Ａｌａ  Ｇｌｙ  Ｇｌｕ  Ａｒｇである。
２  １を認識するポリクローナル抗体で磁性体結合のもの
３  １を認識するポリクローナル抗体で発色物質結合のもの
(57)【要約】【課題】本発明は、シダ植物門ウラジロ科に属するシダ、ウラジロ（学名  Ｇｌｅｉｃｈｅｎｉａ  ｊａｐｏｎｉｃａ  Ｓｐｒ．）の特性を有効に使い、乾燥した肌を正常な状態に整え再生する化粧料を提供する。【解決手段】本発明は、シダ植物門ウラジロ科に属するシダ、ウラジロ（学名  Ｇｌｅｉｃｈｅｎｉａ  ｊａｐｏｎｉｃａ  Ｓｐｒ．）に肌への保湿力があることを発見した。【選択図】なし【特許請求の範囲】
【請求項１】
シダ植物門ウラジロ科に属するシダ、ウラジロ（学名  Ｇｌｅｉｃｈｅｎｉａ  ｊａｐｏｎｉｃａ  Ｓｐｒ．）の抽出・精製方法。
【請求項２】
シダ植物門ウラジロ科に属するシダ、ウラジロ（学名  Ｇｌｅｉｃｈｅｎｉａ  ｊａｐｏｎｉｃａ  Ｓｐｒ．）の保湿効果を特徴とする化粧料。
【請求項３】
シダ植物門ウラジロ科に属するシダ、ウラジロ（学名  Ｇｌｅｉｃｈｅｎｉａ  ｊａｐｏｎｉｃａ  Ｓｐｒ．）の抽出液を使用した化粧料全般。
【請求項４】
シダ植物門ウラジロ科に属するシダ、ウラジロ（学名  Ｇｌｅｉｃｈｅｎｉａ  ｊａｐｏｎｉｃａ  Ｓｐｒ．）の抽出液を混合した化粧料全般。
【請求項５】
シダ植物門ウラジロ科に属するシダ、ウラジロ（学名  Ｇｌｅｉｃｈｅｎｉａ  ｊａｐｏｎｉｃａ  Ｓｐｒ．）とヘンプオイルとセリシンの混合液による化粧料
【請求項６】
シダ植物門ウラジロ科に属するシダ、ウラジロ（学名  Ｇｌｅｉｃｈｅｎｉａ  ｊａｐｏｎｉｃａ  Ｓｐｒ．）とヘンプオイルとカンナビジオールとセリシンの混合液による化粧料
【請求項７】
請求項１〜６に防腐剤や香料、水を混合した化粧料。
【発明の詳細な説明】
【技術分野】
【０００１】  本発明は、シダ植物門ウラジロ科に属するシダ、ウラジロ（学名  Ｇｌｅｉｃｈｅｎｉａ  ｊａｐｏｎｉｃａ  Ｓｐｒ．）と、シダ植物門ウラジロ科に属するシダ、ウラジロ（学名  Ｇｌｅｉｃｈｅｎｉａ  ｊａｐｏｎｉｃａ  Ｓｐｒ．）の抽出液の含まれた化粧料に関する。
【背景技術】
【０００２】山の中腹に生育する、シダ植物門ウラジロ科に属するシダ、ウラジロ（学名  Ｇｌｅｉｃｈｅｎｉａ  ｊａｐｏｎｉｃａ  Ｓｐｒ．）は、日陰でも青々とし、山の保湿に役立っているため、抽出液を化粧水として使用したところ、乾燥が和らぎ傷ついた肌が再生した。
【発明の概要】
【発明が解決しようとする課題】
【０００３】  乾燥肌で悩む人と、シダ植物門ウラジロ科に属するシダ、ウラジロ（学名  Ｇｌｅｉｃｈｅｎｉａ  ｊａｐｏｎｉｃａ  Ｓｐｒ．）の有効活用。
【課題を解決するための手段】
【０００４】  本発明は、シダ植物門ウラジロ科に属するシダ、ウラジロ（学名  Ｇｌｅｉｃｈｅｎｉａ  ｊａｐｏｎｉｃａ  Ｓｐｒ．）の採取による山林整備と、シダ植物門ウラジロ科に属するシダ、ウラジロ（学名  Ｇｌｅｉｃｈｅｎｉａ  ｊａｐｏｎｉｃａ  Ｓｐｒ．）抽出液を化粧料にすることで乾燥肌対策に貢献できる。
【発明の効果】
【０００５】  本発明により、縁起物として使用されてきたシダ植物門ウラジロ科に属するシダ、ウラジロ（学名  Ｇｌｅｉｃｈｅｎｉａ  ｊａｐｏｎｉｃａ  Ｓｐｒ．）が、化粧料として保湿効果に優れる化粧料が提供されると共に、山の中腹に生息するシダ植物門ウラジロ科に属するシダ、ウラジロ（学名  Ｇｌｅｉｃｈｅｎｉａ  ｊａｐｏｎｉｃａ  Ｓｐｒ．）を多く採集するためには、樹木を間引き山林の整備をしなければならない。整備された山林に、荒れた山林から追い出された動物たちを呼び戻すことができれば、田畑の動物による被害の軽減にも役立つ。
(57)【要約】【課題】ペットボトルのキャップとＴＥバンドを軽い力で容易に分離する。【解決手段】ペットボトルのキャップに分離可能に連結されたＴＥバンドが嵌合する本体ボトルの首部に設けられた溝の上部フランジ面とＴＥバンドの内面に設けられている複数の係止片の列がペットボトルの中心軸線に対して斜めに対峙るように配置され、開栓時にキャップが回転上昇することによって発生するボトルの軸線方向の引張力がフランジ内面と最初に当接した係止片に集中して掛かりその部分のキャップとＴＥバンドの接合部を初期破断させたのち順次全周を破断、分離させる。【選択図】図２
2019119521.tif 000002
【特許請求の範囲】
【請求項１】
ペットボトル本体首部に設けられた、タンパーエビデントバンド嵌合溝の上部フランジ内面をボトルの中心軸に対して斜めに配置したペットボトル。
【請求項２】
ペットボトルのキャップの下部に分離可能に連結されたタンパーエビデントバンドの内面に円環状に整列して設けられた複数の係止片の列をボトルの中心軸に対して斜めに配置したペットボトル。
【発明の詳細な説明】
【技術分野】
【０００１】  本発明は、ペットボトルのキャップとタンパーエビデントバンド（ＴＥバンド）の連結部の切り離しに要する捻回力を軽減して開栓を容易にする。
【背景技術】
【０００２】  従来、ペットボトルのキャップに分離可能に連結付随したＴＥバンドの内面に複数設けられた係止片の配列と、開栓時に係止片が当接して連結部を破断、分離させるために設けられた本体ボトル側フランジの内面は、ペットボトルの中心軸に対して直角な面に平行に対峙して配置され、開栓時にはキャップの回転によって生ずる上昇に伴って発生する引張力でキャップ本体とＴＥバンドの連結部分が破断して分離する構造になっており、その引張力はキャップとＴＥバンドの分離可能な連結部分の全周に同時且つ均等に掛かるため、その破断に要する力は大きい。
【先行技術文献】
【０００３】
【特許文献１】特開２０１４−１０１１２０
【発明の概要】
【発明が解決しようとする課題】
【０００４】  幼児、女性、高齢者、身障者など、手の把握力の弱い人達にとって、ペットボトルの栓を開けるに際し、指がキャップの表面を空滑りして容易には開栓できないし、キャップを緩めても更にＴＥバンドとキャップを切り離す為の捻回に苦労する。
【課題を解決するための手段】
【０００５】  ペットボトルのキャップの下部に分離可能に連結されたＴＥバンドの内面にボトルの中心軸方向に向かって突出し、連続して配置された係止片の列の一カ所が他の係止片に先立って、開栓時に係止片と当接して上昇を阻む本体ボトル側フランジ内面の一カ所に当接するように構成することによって、この当接部分に集中して引張力が掛かるのでキャップとＴＥバンドの連結部が小さい力で局部破断し、この片寄った荷重によってキャップとＴＥバンドの連結部の全てが軽い捻回力で順次破断して開栓に至る。【０００６】  ペットボトルのキャップに分離可能に連結されたＴＥバンドが嵌合する本体ボトルの溝の上部フランジの内面とＴＥバンド内面に整列して連設された係止片の列をボトル本体中心軸線に対して角度を持たせて対峙させる事によって、開栓時の捻回によるキャップの上昇に伴う引張力がＴＥバンド内面に連接された係止片の内、最初にフランジ内面に当接した部分に集中して載荷されて連結部の破断が始まり、この片寄った荷重によってキャップとＴＥバンドの連結部の全てが軽い捻回力で順次破断、分離して開栓する。
【発明の効果】
【０００７】  ペットボトルの開栓時、キャップとＴＥバンドを連結した部分の破断を全周同時ではなく一部から順次破断してしてゆくので軽い力で開栓することができる。【０００８】  ＴＥバンドが嵌合する溝の上面に設けたフランジとＴＥバンドの係止片の列をボトル本体中心軸線に対して角度を持たせて対峙させる事によって、製造時、ペットボトルに内容物を充填して、ＴＥバンド付きキャップを組み付けする際、ＴＥバンドの係止片が片側から順次嵌入するためにペットボトル首部の溝に安全且つ容易に嵌合することが出来る。
【図面の簡単な説明】
【０００９】
【図１】従来のペットボトルのＴＥバンド嵌合溝のフランジと係止片
【図２】本発明のボトル本体のＴＥバンド嵌合溝の上部フランジ内面をボトルの中心軸に対して傾斜させたペットボトル。
【図３】本発明によるキャップとＴＥバンド接合部分の破断進行説明図
【発明を実施するための形態】
【００１０】  以下、本発明の実施の形態を説明する。
ペットボトル（１）のキャップ（２）の下部に連結されたＴＥバンド（３）が嵌合する溝（５）の上部に突出して設けられたフランジ（６）の内面（７）とＴＥバンドの内面に設けられた係止片（８）の上部、フランジ内面と接する部分（９）がフランジ（６）の内面（７）に対して斜めに整列して対峙している。
本発明は以上の構造である。
ペットボトル（１）のキャップ（２）を緩めてＴＥバンド（３）と分離させる際、従来はＴＥバンドの嵌合溝（５）の上部フランジ（６）の内面（７）とＴＥバンドの内面に整列して複数設けられ係止片（８）が平行に対峙して設けられているため、キャップの捻回による上昇力が連結部分（４）の全周同時に掛かるため大きな捻回力を必要としたが、本発明によると嵌合溝（５）の上部フランジ内面（７）と係止片（８）の列が傾きを持って対峙しているので、上昇力が連結部分（４）の一部分に集中して掛かるため破断が容易で楽に開栓出来る
【符号の説明】
【００１３】１ペットボトル本体、２キャップ、３ＴＥバンド、４連結部分、５ＴＥバンド嵌合溝、６ＴＥバンド嵌合溝の上部フランジ、７ＴＥバンド嵌合溝上部フランジの内面、８係止片、９係止片上面
【図１】
2019119521.tif 000003
【図２】
2019119521.tif 000004
【図３】
2019119521.tif 000005
(57)【要約】【課題】除草剤を散布する際に、散布ノズルから噴霧された液体が飛散し、薬剤が栽培作物に付着して薬害を生じることを効果的に防ぐカバーで、特に、畝の谷部に植えられた作物においても、栽培作物に近接した位置まで除草剤の散布が可能とする装置を提供する。【解決手段】畝の谷部（７）に植えられた作物（５）の株元に除草剤（４）がかかるのを防止する補助カバー（２）を有し、補助カバー（２）は飛散防止カバー（１）の除草剤が噴射される方向の先端から畝の山部（６）を覆うように延設されることを特徴とする除草器具で、ノズルの先端から扇状に広がる液体の飛散角度を制限することで作物体により近づけられるだけでなく、地面にカバーをつけることができるため隙間がなく、栽培作物に薬剤が付着させることなく、除草剤を効率的に散布できる。【選択図】図１
2019062879.tif 000002
【特許請求の範囲】
【請求項１】
畝の谷部（７）に植えられた作物（５）の株元に除草剤（４）がかかるのを防止する補助カバー（２）を有し、補助カバー（２）は飛散防止カバー（１）の除草剤の霧（４）が噴射される方向の先端から畝の山部（６）を覆うように延設されることを特徴とする除草剤の飛散角度制限カバー。
【発明の詳細な説明】
【技術分野】
【０００１】  本発明は、新規な構成を有する農業用具で、詳しくは除草剤散布において作物を除草剤付着から守る補助カバーを有する除草剤の飛散角度制限カバーである。
【背景技術】
【０００２】  除草剤を散布する際に、散布ノズルから噴霧された液体が飛散し、薬剤が他の栽培作物に付着して薬害を生じることがあった。そこで、散布ノズル部分にスカート状のカバーを装着し、噴霧された薬剤がそのカバーに遮られて周囲に飛び散らないようにしようとした下記特許文献１に記載の飛散防止装置や、そのような装置の先にさらにゴム上の保護カバーを左右両側に設けた下記特許文献２に記載のカバーが提案されている。
【先行技術文献】
【特許文献】
【０００３】
【特許文献１】特開平１１−５６２０５号公報
【特許文献２】特開２００３−２３５４３２公報
【発明の概要】
【発明が解決しようとする課題】
【０００４】  特許文献１の飛散防止装置は、散布機で噴霧された液体が風があるときなどに装置と地面の間から飛散することは防止できない欠点があった。また、畝の谷部に植えられた作物の場合には、装置から作物までの距離が遠く、どうしても作物への薬剤の付着を防ぐことは困難であった。
特許文献２の改良は、ゴム状の保護カバーを設けることによって、その保護カバーが付いている部分からは噴霧された液体の飛散が防げるようにはなっているが、開放部からは飛散が防げず、その開放部の大きさからむしろ作物体にあまり近づけられない欠点があった。また、畝の谷部に植えられた作物の場合は、薬剤の付着を防ぐことはできなかった。
そのため、従来のカバーでは栽培作物への薬剤の付着を防止することはできないため、作物へあまり近づけて除草剤を散布することができず、栽培作物のすぐそばに発生した雑草は人の手によって取ることが多く、多大な労力を要していた。
【課題を解決するための手段】
【０００５】  上記課題を解決するため本考案除草剤飛散角度制限カバーは、畝の谷部に植えられた作物の株元に除草剤がかかるのを防止する補助カバーを有し、補助カバーは飛散防止カバーの除草剤が噴射される方向の先端から畝の山部を覆うように延設されることを特徴とする。
【発明の効果】
【０００６】  本考案除草剤飛散角度制限カバーを用いることで、作物に近接した位置まで除草剤の散布が可能となる。すなわち、作物に接する側のカバーを延長した形状とすることで、カバー下辺を地面につけ隙間ができないので、栽培作物に薬剤が付着することがない。また、畝の谷部に植えられた作物の株元に除草剤がかかるのを防止する補助カバーを有することで、補助カバーは飛散防止カバーの除草剤が噴射される方向の先端から畝の山部を覆うように延設されているため、除草剤の散布効率が高く、除草の労力を多大に軽減することが可能となる。
【図面の簡単な説明】
【０００７】
【図１】本発明の一実施例を示す正面図で、本発明の飛散角度制限カバーは縦断切断した図である。
【図２】本発明の飛散角度制限カバーを正面から見た平面図である。
【図３】本発明の飛散角度制限カバーを上から見た平面図である。
【図４】本発明の飛散角度制限カバーを補助カバーがある側面から見た平面図である。
【図５】本発明の一実施例の畑を斜めから見た図で、畝の山部と谷部と植物体の位置示した図である。
【図６】本発明の一実施例の畑を上から見た図で、除草剤散布作業の向きを示す図である。
【発明を実施するための形態】
【０００８】  発明実施の形態を実施例に基づき図面を参照にして説明する。
【０００９】  従来の現在市販されているカバーはプラスチックで出来ている。これに用いる噴口から出る霧はカバーの形に合わせた扇形に噴出され、カバーの下部から出た霧が雑草に付着する様になっていてカバーの下部以外は霧が出ない様に覆われている。これに用いる噴霧機は背負い噴霧機で行う事が多い。除草剤の散布は風の無い時を選んで行うが、畝に並んでいる栽培作物に霧が付着しない様に噴霧するには地表面から霧が漏れない様にしなければならない。又、でき得る限りカバーを栽培作物に近づける程除草範囲が大きくなるが、畑の表面は突起物等があるので進行するには地表面とカバーの隙間が大きくなり、隙間から漏れた霧が栽培作物に付着する可能性が高く、栽培作物にあまり近づけて散布はできない。
【００１０】  本発明では、飛散防止カバー（１）の作物（５）に接する側が延長された形状となるよう補助カバー（２）を有することで、カバー下辺を地面につけ隙間ができないので、作物（５）に薬剤の霧（４）が付着することがない。また、畝の谷部（７）に植えられた作物（５）の株元に除草剤の霧（４）がかかるのを防止する補助カバー（２）を有し、補助カバー（２）は飛散防止カバー（１）の除草剤の霧（４）が噴射される方向の先端から畝の山部（６）を覆うように延設されている。そのため、カバー（１）（２）に当たった霧（４）は水滴となり地面に落ちるため、栽培作物（５）に薬剤が付着することがない。
【００１１】  例えばネギ栽培においては、栽培期間が長期にわたるため雑草の防除は大きな課題である。除草剤散布を効率的に行わなければ、繁茂する雑草を手作業により除草しなければならず，多大な労力を要していた。本発明のカバーによりネギに沿うようにカバーを移動させる（８）ことで、ネギに薬剤が付着することなく除草剤が散布できるため除草効果は高く、除草剤がかからず発生した雑草を手作業による除草する作業時間は、大幅に軽減される。
【符号の説明】
【００１２】  １  カバー本体
２  補助カバー
３  噴出ノズル
４  除草剤の霧
５  作物
６  畝  山部
７  畝  谷部
８  進行方向
【図１】
2019062879.tif 000003
【図２】
2019062879.tif 000004
【図３】
2019062879.tif 000005
【図４】
2019062879.tif 000006
【図５】
2019062879.tif 000007
【図６】
2019062879.tif 000008
(57)【要約】      （修正有）【課題】貯水容器と鉢を組み合わせて花木の苗の植え付けが簡単で、毎日の水やりを不要とした貯水容器付プランターを提供する。【解決手段】貯水容器１の下部に蛇口２を設け、適正な位置に過剰貯水防止孔３を設け、バスケット型の鉢４の縁に浮き型の水量計７を設けたことを特徴とする貯水容器付プランター。【選択図】図１
2019062877.tif 000002
【特許請求の範囲】
【請求項１】
貯水容器に、バスケット型の鉢を重ね合わせて一体とし、廃水用蛇口と、過剰貯水防止孔、水量計を設けることを特徴とする貯水容器付プランター。
【発明の詳細な説明】
【技術分野】
【０００１】  本発明は、鉢と貯水容器と組み合わせて、毎日の水やりを不要にした貯水容器付プランターに関するものである。
【背景技術】
【０００２】  従来より、水耕栽培用の容器があるが、主に野菜を種から育てるもので、市販されている花や木の苗を、水だけで栽培することのできる、プランターはなかった。
【発明の概要】
【発明が解決しようとする課題】
【０００３】  それには次のような問題点があった。
（イ）市販されている花や木の苗を、水だけで栽培しようとするならば、根元の土を除去    しなければならず、そうすると苗は弱ってしまう。
又、除去する作業や、泥の片付けが面倒である。
（ロ）貯水容器内の水に根を浸けただけならば、水質の悪化や、適正な水量が保てずに、    根腐れを起こしてしまう。
本発明はこれらのような問題点を解決するためになされたものである。
【課題を解決するための手段】
【０００４】  貯水容器に、幅広の縁を持った鉢をフタにして、重ね合わせる。
貯水容器に、廃水用の蛇口を設け、適正な位置に過剰貯水防止孔を設ける。
鉢は穴を多数設けたバスケット型にし、鉢の縁には浮き型の水量計を設ける。
以上を特徴とする貯水容器付プランターである。
【発明の効果】
【０００５】  水質、水量の管理が簡単にでき、水だけの栽培が可能になった。
苗の根元を土ごと水切りフィルター（不織布）に包んで鉢に収める方式なので、植え付けが簡単になった。
月に数回水替えをするだけなので、毎日の水やりの手間が省かれ、旅行にも安心して行ける。
【図面の簡単な説明】
【０００６】
【図１】  本発明の斜視図である。
【図２】  本発明の断面図である。
【発明を実施するための形態】
【０００７】  以下、本発明の実施の形態について説明する。
（イ）貯水容器の下部に、廃水用の蛇口（２）を設け、過剰貯水防止孔（３）を適正な位    置に設ける。
（ロ）鉢（４）に多数の穴（５）を設けてバスケット型にし、縁（６）に浮き型の水量計    を設ける。
本発明は以上のような構成である。
本発明を使用するときは、蛇口（２）より、貯水容器（１）内の古い水を捨てて、新しい水（１１）を縁（６）より注ぎ入れて、月に数回、水（１１）の入れ替えをする。
適当に水（１１）を注ぎ入れても、過剰貯水防止孔（３）により、適正な水量が保たれる。
浮き型の水量計（７）で貯水量が一目でわかり、必要ならば、水の補充を行う。
花木の苗（９）は、根元を土（１２）ごと水切りフィルター（８）で包み、鉢（４）に収める。
鉢の穴（５）より根（１３）が伸び出てくると、根元はしっかりと固定され、さらに、水（１１）の中に垂れ下がり、常に十分な水（１１）が得られる。
【符号の説明】
【０００８】１  貯水容器
２  蛇口
３  過剰貯水防止孔
４  鉢
５  穴
６  縁
７  浮き型の水量計
８  水切りフィルター（不織布）
９  花木の苗
１０  鉢底石
１１  水
１２  土
１３  根
【図１】
2019062877.tif 000003
【図２】
2019062877.tif 000004
(57)【要約】【課題】従来の草抜きは溝が小さく、大きな草などが取れませんでした。又、木の根や枝切りなどの作業には複数の器具が必要でした。【解決手段】草取りなど様々な作業に対応する為、器具のサイズを大きく、草抜きの刃と溝を広く致しました。又、草抜きに鎌刃、一方に鋸刃を設置し、刃を切り替えて使用する事で一つの器具で、草抜き、木の根や枝切りなどの多様な作業が可能になりました、又、多様な機能を施した事で、レジャーなどの携帯器具としても利用が可能です。【選択図】図３
2019062876.tif 000002
【特許請求の範囲】
【請求項１】
柄に収納機能を施した、草抜き、鎌と鋸が切り替えて使用可能な、園芸や農作業などの器具。
【請求項２】
草抜きと鎌刃が一体化された形式の、園芸や農作業などの器具。
【発明の詳細な説明】
【技術分野】
【０００１】  柄に収納機能を施し、一方に草抜きと鎌刃、もう一方に鋸刃を設置して、一方の刃を使用時にもう一方の刃は柄の中に収納する、刃を切り替えて使用する事により、草抜き、木の根や枝切りなどの、多様な作業が一つの器具で可能な切り替え式の器具。
鎌を両刃にする事で、右手、左手どちらでも使用が可能です。【０００２】  使用時の切り替えは、安全の為、刃の峰を押し回転軸で回転させて、ネジなどでしっかり固定して使用する器具。
【背景技術】
【０００３】  従来の草抜きは、器具が小さく柄も持ち難く、又、刃の溝も小さい為、大きな草の根は取れませんでした。更に、器具が小さい為に作業中に、時々草などに紛れて器具を見失い、探す事が大変でした。
【先行技術文献】
【特許分献】
【０００４】
【特許文献１】実用新案登録第３１８４３８７号広報
【発明の概要】
【発明が解決しようとする課題】
【０００５】  従来の草抜きは溝が小さく、大きな草などが取れませんでした。又、木の根や枝切りなどの作業には複数の器具が必要でした。
【発明が解決するための手段】
【０００６】  園芸や農作業時に、草取りや枝切りなどの多様な作業に対応する為に、器具のサイズを大きくして、草抜き、鋸刃や鎌刃を一つの器具に設置し、それらを切り替えて使用する事で解決致しました。
【発明の効果】
【０００７】  器具のサイズを大きく、柄の巾を広げた事で、草抜きと鎌刃，鋸刃の設置が可能になり、それらを切り替えて使用する事で、一つの器具で多様な作業が可能になりました。
【０００８】  鎌の刃を両刃にする事で、右手、左手のどちらでも使用が可能です。
【０００９】  複合型で多様な機能を施す事で、レジャーなどの携帯器具として様々な用途の利用も可能です。
【００１０】  鎌刃、鋸刃の先端の角を取り、丸くした事で安全性が向上が致しました。
【００１１】  柄を大きく握り易くした事で作業が楽になりました。
【図面の簡単な説明】
【００１２】
【図１】草抜きと鎌刃が設定された状態
【図２】鋸刃が設定された状態
【図３】設定中間の状態
【図４】側面から見た状態
【図５】頭部の拡大
【図６】符号の説明
【発明を実施するための形態】
【００１３】  草取りや枝切りなどの様々な作業に対応する為、器具のサイズを大きくして、柄の巾を広げて大きく握り易く、草抜きの刃も既存と比べて大型にして鎌刃を設置致しました。又、一方に鋸刃を設置し、作業時に器具を切り替えて使用する事で、木の根や枝切りなどの多様な作業が可能になりました。
刃を固定させる為の穴を、柄と刃に開け、切り変え操作時には、刃の固定ネジを外し、安全の為に刃の峰を押して柄と刃の穴の位置を合わせ、ネジでしっかり固定して使用します。一方の刃は柄の中に収納される形式の器具。
【符号の説明】
【００１４】１、切り替え回転軸
２、刃の固定ネジ
３、鋸刃
４、鎌刃
５、草抜き
６、収納部位
７、柄
【図１】
2019062876.tif 000003
【図２】
2019062876.tif 000004
【図３】
2019062876.tif 000005
【図４】
2019062876.tif 000006
【図５】
2019062876.tif 000007
【図６】
2019062876.tif 000008
(57)【要約】【課題】この発明は、マンゴーの実を網袋に入れて網目に細いフックを掛けて吊り下げることをした細いフック付きチップを提供する。【解決手段】切り込みの入ったチップ本体（１）に細いフックを設けたことを特徴とする。【選択図】図１
2019062881.tif 000002
【特許請求の範囲】
【請求項１】
切り込みの入ったチップ（１）に細いフックを設けたことを特徴とする、細いフック付きチップである
【発明の詳細な説明】
【技術分野】
【０００１】この発明は、マンゴーの実を網袋に入れて、細いフック付きチップに関するものである。
【背景技術】
【０００２】従来は、平たいフックや針金のフックでマンゴーの実を掛けていた、針金のフックで網袋を掛けて、上に有る万線にくびっていた。
【先行技術文献】
【特許文献】
【特許文献】特願２０１５−１４７１９４
【０００３】
【特許文献１】
【発明の概要】
【発明が解決しようとする課題】
【０００４】これは、次のような欠点があった。
（イ）平たいフックで網袋を掛けることができなかった。
（ロ）針金のフックで網袋を掛けても、上にある万線にくびっていた。
本発明は、これらの欠点を除くためになされたものである
【課題を解決するための手段】
【０００５】切り込みの入ったチップ（１）に細いフック（２）を設ける。
本発明は、以上のような構成よりなる、細いフックの付いた切り込みチップである。
【発明の効果】
【０００６】（イ）細いフックなどで網袋の網目に掛けることができる。
（ロ）マンゴーの実の茎に掛けることができる
（ハ）マンゴーの実が高い所も低い所も自由に調整できる
高い所は、直接細いフック付き切り込みに差し込んで固定できる。低い所のマンゴーは、細いフックの反対側のチップの切り込みに差し込んで固定できる。
【図面の簡単な説明】
【０００７】
【図１】正面図
【図２】斜視図
【発明を実施するための形態】
【０００８】以下、本発明の実施の形態について説明する。
切り込みの入ったチップ本体（１）に細いフック（２）を設ける
本発明は、以上のような構造である。
本発明を使用するときは、マンゴーの入った網袋の網目に細いフックを掛けて吊るし、高い所にあるマンゴーは、細いフックの付いたチップの切込みに直接差し込んで固定する、また低い所にあるマンゴーは、細いフックの付いたひもの反対側のチップの切込みに差し込んで固定する。
【符号の説明】
【０００９】１、切り込みの入ったチップ本体
２、細いフック
2019062881.tif 000003
【手続補正書】
【提出日】平成29年12月18日(2017.12.18)
【手続補正１】
【補正対象書類名】図面
【補正対象項目名】全図
【補正方法】変更
【補正の内容】
【図１】
2019062881.tif 000004
【図２】
2019062881.tif 000005